(57)【特許請求の範囲】
【請求項１】
器体内に収納した液体ボトル内の液を、液体ボトル内の吸液芯により吸い上げつつ、上記器体内に備えた発熱体により吸液芯を加熱して上記液を蒸散させるようにした加熱蒸散装置であって、コンセントに直接差し込むプラグを有したコードレスタイプの加熱蒸散装置において、
器体の底側中央を空間に形成した器体内周部に、液体ボトルのねじ込み部とねじ合わされるねじ山部が部分的に形成されているほか、液体ボトルの傾きを防止するための垂直方向に延設された複数の突出部が突設してあり、さらに、液体ボトルをねじ込んで取付ける器体内周部には、液体ボトルのねじ込み過ぎを防止するための円周方向に延設された突出部を形成してあり、さらに、
器体のプラグより下方位置には、コンセント側に当接して器体の傾きを阻止するための突出部が、プラグの位置より幅広く形成されていることを特徴とする加熱蒸散装置。
【請求項２】
上記器体には、スイッチ部および上部が備えられていて、スイッチ部および上部は透明ないしは半透明に形成され、スイッチ部の近傍位置にはネオン球を設け、スイッチ部および器体上部を透光できるよう設けてあることを特徴とする、請求項１記載の加熱蒸散装置。
【発明の詳細な説明】
【０００１】
【発明の属する技術分野】
本発明は、加熱蒸散装置に関し、コンセントに直接差し込むプラグを有したコードレスタイプの加熱蒸散装置に関する。
【０００２】
【従来の技術および発明が解決しようとする課題】
従来において、例えば殺虫剤、殺菌剤、殺ダニ剤、あるいは忌避剤、医薬品、芳香剤、化粧品等を適宜気化・蒸散させることにより、所望する効果を得ることが広く行われている。特に、蒸散の効果を長期にわたって持続するのに適した方法として、蒸散させる液体を器体に収納して、この液体に浸漬させた吸液芯を器体の上部から突出させ、この吸液芯を適当な加熱手段により加熱する加熱蒸散装置が広く使用されている。
【０００３】
上述の加熱蒸散装置では、周知のように吸液芯を加熱する発熱体として電気加熱式のヒータが採用されている。本出願人は先に、加熱蒸散装置の器体内に収納した液体ボトル内の液体を器体内に備えた吸液芯により吸上げつつ、上記器体に備えた電気加熱式のヒータにより適宜加熱し蒸散させる加熱蒸散装置を種々提案してきた。
【０００４】
この種の加熱蒸散装置には、器体本体にプラグを備えたコードレスタイプのものがあり、このコードレスタイプのものは装置全体がコンパクトであると共に、コンセントに差し込むだけでその設置ができ、使い勝手が良い特徴がある。
【０００５】
そして、上記加熱蒸散装置にあっては、器体の内周部に液体ボトル固定用のねじ山が設けられていた。このねじ山を全体的に設けた場合、液体ボトルの安定性は高まるが、製造上の点で金型が複雑になり、成形上、面倒となる。そのため、ねじ山を少なく部分的に形成していた。しかし、この場合、液体ボトルのねじ山サイズの微妙な差違により、液体ボトルが傾く傾向があり、不安定になると共に、この傾きが吸液芯にも及んで蒸散上も好ましいものではなかった。また、液体ボトルを強くねじ込み過ぎるとねじ山破損を生じたり、液体ボトルが空回りするおそれがあった。
【０００６】
さらに、上記加熱蒸散装置にあっては、ダブルコンセント対応のため器体背面を下方へ長くする傾向にある。即ち、上側のコンセントに器体のプラグを差し込んだとき、器体や液体ボトルが下側のコンセントをふさいでしまわないようにプラグ位置をできるだけ器体下方にくるよう器体背面を下方へ長く形成する必要が生じていた。しかし、製造上、器体の成形には金型からの抜き勾配が必要なため、成形品にはテーパーがつき、プラグをコンセントに差し込んだ場合、器体背面の下方が長いほど器体が傾くことになり、不安定なものとなっていた。
【０００７】
しかも、上記加熱蒸散装置にあっては、スイッチ部による作動確認さらには夜間等における加熱蒸散装置自体の所在を明確にするための光源による透光効果や器体の装飾効果が不充分であった。
【０００８】
そこで、本発明においては、上記した従来技術における課題を解消できるような、使用上安定性が高く、電球による透光効果の高い加熱蒸散装置を提供することを目的としている。
【０００９】
【課題を解決するための手段】
上記した目的を達成できる本発明による加熱蒸散装置としては、請求項１に記載したように、器体内に収納した液体ボトル内の液を、液体ボトル内の吸液芯により吸い上げつつ、上記器体内に備えた発熱体により吸液芯を加熱して上記液を蒸散させるようにした加熱蒸散装置であって、コンセントに直接差し込むプラグを有したコードレスタイプの加熱蒸散装置において、器体の底側中央を空間に形成した器体内周部に、液体ボトルのねじ込み部とねじ合わされるねじ山部が部分的に形成されているほか、液体ボトルの傾きを防止するための垂直方向に延設された複数の突出部が突設してあり、さらに、液体ボトルをねじ込んで取付ける器体内周部には、液体ボトルのねじ込み過ぎを防止するための円周方向に延設された突出部を形成してあり、さらに、器体のプラグより下方位置には、コンセント側に当接して器体の傾きを阻止するための突出部が、プラグの位置より幅広く形成されていることを特徴とする加熱蒸散装置である。
請求項２記載の発明は、上記器体には、スイッチ部および上部が備えられていて、スイッチ部および上部は透明ないしは半透明に形成され、スイッチ部の近傍位置にはネオン球を設け、スイッチ部および器体上部を透光できるよう設けてあることを特徴とする、請求項１記載の加熱蒸散装置である。
【００１０】
この請求項１記載の加熱蒸散装置によると、器体内周部にねじ込んで取付けられる液体ボトルの傾きを複数のリブ等の突出部による当接によって確実に防止され、液体ボトルに備えられた吸液芯のセンター出しが確実に行われ、良好な蒸散効果を発揮させることができる。
【００１２】
また、液体ボトルのねじ込み過ぎがなくなることにより、ねじ山破損や液体ボトルの空回りがなくなり、液体ボトルの取付状態が安定する。
【００１４】
さらに、プラグをコンセントに差し込んだ場合、ダブルコンセントのうち下側のコンセントをふさがぬように器体背面の下方が長く形成されていて、器体にテーパーがついてあって器体が傾こうとする場合にもプラグより下方の器体位置に形成したリブ等の突出部によって確実に傾きを防止でき、プラグをコンセントに差し込んだ状態の安定化をはかるのに好都合となる。
【００１８】
請求項２記載の加熱蒸散装置によると、１個のネオン球で、スイッチ部と、器体上部の両方を透光させることができて、スイッチ部による作動確認や加熱蒸散装置自体の所在を明確にする等非常にネオン球の使用効率が高まると共に部品点数も減らすことができてコンパクト化が実現できるほか、製造コストの低減化にも寄与できることになる。しかも器体内の光源がネオン球１個だけであるから、蒸散時の上昇気流を邪魔するものが少なくなり、効率のよい揮散が実現できる。
【００２１】
【発明の実施の形態】
次いで、本発明の実施態様について、図を参照しながら以下に説明する。
【００２２】
図１と図２は本発明による加熱蒸散装置をコンセントに差し込んだ使用状態を示す斜視図と側面図である。図中の１０は器体、２０は液体ボトルを示しており、器体１０は合成樹脂にて形成するのが好ましく、主体部１０ａにカバーとなる透明ないしは半透明の上部体１０ｂを嵌合止定して構成してあり、１１は透明ないしは半透明に形成したスイッチ部、Ｐはプラグ、１３は文字、柄模様等の表示部で、薄肉に形成されている。１８は後述するが、器体１０の傾きを防止するリブ等の突出部である。３０はプラグＰが差し込まれるコンセントである。液体ボトル２０における２１はねじ込み部、２２は吸液芯を示している。
【００２３】
図３および図４は液体ボトル２０を外した器体１０の底面図および断面図を示しており、底側中央を空間に形成した内周部１４には液体ボトル２０のねじ込み部２１とねじ合わされるねじ山部１５が部分的に形成されているほか、液体ボトル２０の傾きを防止するためのリブ１６等の突出部を複数（図では４本）突設してあり、リブ１６は垂直方向に延設されている。そして内周部１４の空間上方には、リングヒーターによる筒状の発熱体１７を設けてあり、液体ボトル２０を取付けた際、その吸液芯２２が発熱体１７の内方に間隙Ｃを存して位置するようになっている。さらに、液体ボトル２０をねじ込んで取付ける器体内周部１４には、液体ボトル２０のねじ込み過ぎを防止するためのリブ１２等の突出部を形成してあり、リブ１２は円周方向に延設されて内方へ大きく突出していて、液体ボトル２０のねじ込み部２１の先端のねじ山が当接してそれ以上のねじ込みが止められるようになっている。このように、液体ボトル２０のねじ込み過ぎがなくなることにより、ねじ山破損や液体ボトル２０の空回りがなくなり、液体ボトル２０の取付状態が安定する。上記した液体ボトルの傾き防止目的および液体ボトルのねじ込み過ぎ防止目的の何れの突出部も、リブ形態以外の突出部であってもそれぞれの目的を達成できるものであればよい。
【００２４】
次に、器体１０の主体部１０ａのうち、プラグＰより下方位置には器体１０の傾きを防止するためのリブ１８等の突出部がプラグの位置より幅広く形成され、図２に示すようにコンセント３０側に当接して器体１０の傾きを阻止している。従って、ダブルコンセントを配慮して、上側のコンセントにプラグＰを差し込んだ際、器体１０や液体ボトル２０にて下側のコンセントがふさがれてしまわないように器体１０の背面下方を図のように長く形成している場合において、上記のように器体１０のうちプラグＰより下方位置にリブ１８を形成している図５の（ａ）の場合のほか、上記リブ１８に代え、図５の（ｂ）のようにプラグホルダーＨのうち、少なくともプラグＰよりも下方部分を器体１０の傾きを防止するためにリブ１８Ｈとして突出させても先のリブ１８と同様の効果をあげることができる。そのほかプラグホルダーＨの全体が器体１０より突出させていても同様の効果を期待できる。なお、上記した突出部は図示したリブ１８，１８Ｈ以外の形態による突出部であってもその目的を達成できるものであればよい。以上のように実施すると、器体１０の主体部１０ａに製造成形時における金型からの抜き勾配によるテーパーがついている場合にも器体１０の傾きを確実に防止できることになる。
【００２５】
次に、図６と図７はカバーとなる上部体１０ｂを外した器体１０の主体部１０ａの正面図と、上部体１０ｂを被着止定した状態の平面図とを示しており、図中のＮは光源となるネオン球であり、スイッチ部１１の近傍に設けられてあり、光源としては、１個のネオン球Ｎだけであって、できるだけ部品点数を少なくして液体の揮散をできるだけ妨げないようにしている。１９は上部体１０ｂの上端に形成された蒸散口、１９ａは蒸散口１９からの指等の侵入防止部を示している。そして前記したように、器体１０に設けたスイッチ部１１と器体１０の上部体１０ｂを透明ないしは半透明に形成されているので、ネオン球Ｎにて照射されて透光されることになり、スイッチ部１１による作動確認や夜間等における加熱蒸散装置の所在確認が行い易くなる透光効果がある。しかもカバーとなる上部体１０ｂには、文字、柄模様等の表示部１３が薄肉に形成されているので、文字、柄模様等の表示が一層顕著に透光されることになり、透光による装飾効果のほか、加熱蒸散装置の所在も明確になる利点もある。さらに蛍光剤や集光剤を添加することにより、一層表示効果を高めることも可能である。
【００２６】
本発明による加熱蒸散装置は、器体内に収納した液体ボトル２０内の液を、吸液芯２２により吸い上げつつ、上記器体１０に備えた発熱体１７により吸液芯２２を加熱して上記液を蒸散させ、上部体１０ｂの蒸散口１９から蒸散させることになる。
【００２７】
なお、本発明における実施上、器体１０の形態、大きさ、材質等は、図示した実施態様に何ら限定されることなく任意である。
【００２８】
本発明における実施上、ヒーターとしては、ニクロム線、半導体（正特性サーミスタ）、白金触媒、空気酸化発熱材等を利用したもの等任意である。この加熱温度は、加熱蒸散剤の種類に応じ適宜決定され、特に限定されないが、通常約４０〜１５０℃、好ましくは６０〜１４５℃の範囲の発熱体表面温度とされ、この時吸液芯表面温度３０〜１３５℃、好ましくは約４０〜１３０℃となるように設定される。本発明において吸液芯としては、通常用いられている各種素材、例えばフエルト、木綿、パルプ、不織布、石綿、無機質成型物等のいずれでもよく、フエルト芯（樹脂焼結芯を含む）、素焼芯、パルプ芯及び無機質成型芯が好ましい。
【００２９】
また、本発明において液体ボトル２０に入れられる加熱蒸散剤としては、殺虫剤、殺菌剤、殺ダニ剤、忌避剤、芳香剤、消臭剤、防黴剤、殺ソ剤等任意である。
【００３０】
【発明の効果】
上記した本発明による加熱蒸散装置の効果としては、以下の点を挙げることができる。
【００３１】
液体ボトルの傾きを防止するリブ等の突出部の作用にて液体ボトルの傾きを防止した状態で器体内に液体ボトルを取付けることができ、リングヒータによる発熱体との間に適正な間隙を存した状態で吸液芯による蒸散が実現できることになる。
【００３２】
液体ボトルのねじ込み過ぎを防止するリブ等の突出部の作用にて液体ボトルのねじ込み過ぎがなくなることによって、ねじ山破損や液体ボトルの空回りを防ぐことができ、液体ボトルの取付状態が安定する。
【００３３】
器体の製造成形時における金型からの抜き勾配によるテーパーが器体についていても、器体の傾きを防止するリブ等の突出部をプラグ下方の器体位置に形成しているため、器体の傾きを防止した状態でプラグをコンセントに差し込めるので使用上の安定性が高い。
【００３５】
１個のネオン球でスイッチ部および器体上部の両方を照射させて光らせることができ、スイッチ部による作動確認のほか、夜間等における加熱蒸散装置の所在確認にも役立つほか、部品点数が減り、コンパクト化とコスト低減化にも寄与できる。しかも器体内の光源がネオン球１個だけであるから、蒸散時の上昇気流を邪魔するものが少なくなり、効率の良い揮散効果を発揮できることになる。
【図面の簡単な説明】
【図１】使用状態を示す斜視図である。
【図２】同上状態の側面図である。
【図３】液体ボトルを外した器体の底面図である。
【図４】図３のＡ−Ａ線断面図である。
【図５】（ａ）および（ｂ）は、器体の傾きを防止する突出部を例示する部分背面図である。
【図６】器体のうちカバーとなる上部体を外した主体部の正面図である。
【図７】器体の平面図である。
【符号の説明】
１０    器体
１０ａ  主体部
１０ｂ  上部体
Ｐ      プラグ
Ｈ      プラグホルダー
１１    スイッチ部
１２    液体ボトルのねじ込み過ぎ防止のリブ
１３    表示部
１４    内周部
１５    ねじ山部
１６    リブ（液体ボトル傾き防止用）
１７    発熱体
１８    リブ（器体の傾き防止用）
１８Ｈ  リブ（器体の傾き防止用）
１９    蒸散口
１９ａ  侵入防止部
Ｎ      ネオン球
２０    液体ボトル
２１    ねじ込み部
２２    吸液芯
３０    コンセント
Ｃ      間隙
【図１】
0003875096.tif 000002
【図２】
0003875096.tif 000003
【図３】
0003875096.tif 000004
【図４】
0003875096.tif 000005
【図５】
0003875096.tif 000006
【図６】
0003875096.tif 000007
【図７】
0003875096.tif 000008